(57)【要約】【課題】非画像形成時の帯電電位を画像形成時の帯電電位より小さい電位に制御しない場合に比べて、非画像形成時における現像装置から像保持体へのキャリアの移動の抑制された画像形成装置を提供する。【解決手段】画像形成装置１０の制御部３６は、画像形成時には、像保持体１２を第１の帯電電位ＶＨ１に帯電させるように帯電装置１５を制御し、且つ現像部材１８Ａを、該第１の帯電電位ＶＨ１との電位差が電位差Ｐである第１の現像電位Ｖｄｅｖｅ１に帯電させるように電源３２を制御する。制御部３６は、非画像形成時には、像保持体を第１の帯電電位ＶＨ１より電位の低い第２の帯電電位ＶＨ２に帯電させるように帯電装置１５を制御し、且つ現像部材１８Ａを、該第２の帯電電位ＶＨ２との電位差が上記電位差Ｐ以下の電位差Ｐ’である第２の現像電位Ｖｄｅｖｅ２に帯電させるように電源３２を制御する。【選択図】図７
2011069907.tif 000002
【特許請求の範囲】
【請求項１】
像保持体と、
前記像保持体を第1の帯電電位または該第１の帯電電位より低い第２の帯電電位に帯電させる第１の帯電装置と、
前記帯電装置によって帯電された前記像保持体に静電潜像を形成する潜像形成装置と、
トナー及びキャリアを含む二成分現像剤によって、前記像保持体上に形成された前記静電潜像を現像する現像装置と、
前記現像装置を、前記第1の帯電電位との電位差が第1の値である第1の現像電位、または前記第２の帯電電位との電位差が該第１の値以下である第２の現像電位に帯電させる第２の帯電装置と、
前記現像装置によって前記像保持体上に形成されたトナー像を被転写体へ転写する転写装置と、
前記像保持体を除電する除電装置と、
画像形成時には、前記像保持体を前記第１の帯電電位に帯電させるように前記第１の帯電装置を制御し、且つ前記現像装置を前記第１の現像電位に帯電させるように前記第２の帯電装置を制御し、非画像形成時には、前記像保持体を前記第２の帯電電位に帯電させるように前記第１の帯電装置を制御し、且つ前記現像装置を前記第２の現像電位に帯電させるように前記第２の帯電手段を制御する制御装置と、
を備えた画像形成装置。
【請求項２】
前記第２の帯電電位の絶対値は、前記第1の帯電電位の絶対値の１／３以上２／３以下である請求項１に記載の画像形成装置。
【請求項３】
前記画像形成時における前記像保持体の周速が３００ｍｍ／ｓｅｃ以上である請求項１または請求項２に記載の画像形成装置。
【発明の詳細な説明】
【技術分野】
【０００１】
本発明は、画像形成装置に関する。
【背景技術】
【０００２】
特許文献１には、画像形成装置における駆動を停止する緊急停止時に、現像装置と像保持体との電位差が、現像装置から像保持体側へキャリアの移動の生じる最小電位差を超えないように、該緊急停止時の現像電位及び表面電位を調整することが提案されている。
【０００３】
特許文献２には、画像形成処理の終了後に、像保持体の表面を露光装置によって全面露光すると共に、現像装置の現像電位を、該全面露光されたときの該像保持体の表面電位と同じ電位に調整することが提案されている。
【先行技術文献】
【特許文献】
【０００４】
【特許文献１】特開２００２−１９６５４９号公報
【特許文献２】特開２００４−０２９２４４号公報
【発明の概要】
【発明が解決しようとする課題】
【０００５】
本発明は、非画像形成時の帯電電位を画像形成時の帯電電位より小さい電位に制御しない場合に比べて、非画像形成時における現像装置から像保持体へのキャリアの移動の抑制された画像形成装置を提供することを目的とする。
【課題を解決するための手段】
【０００６】
請求項１に係る発明は、像保持体と、前記像保持体を第1の帯電電位または該第１の帯電電位より低い第２の帯電電位に帯電させる第１の帯電装置と、前記帯電装置によって帯電された前記像保持体に静電潜像を形成する潜像形成装置と、トナー及びキャリアを含む二成分現像剤によって、前記像保持体上に形成された前記静電潜像を現像する現像装置と、前記現像装置を、前記第1の帯電電位との電位差が第1の値である第1の現像電位、または前記第２の帯電電位との電位差が該第１の値以下である第２の現像電位に帯電させる第２の帯電装置と、前記現像装置によって前記像保持体上に形成されたトナー像を被転写体へ転写する転写装置と、前記像保持体を除電する除電装置と、画像形成時には、前記像保持体を前記第１の帯電電位に帯電させるように前記第１の帯電装置を制御し、且つ前記現像装置を前記第１の現像電位に帯電させるように前記第２の帯電装置を制御し、非画像形成時には、前記像保持体を前記第２の帯電電位に帯電させるように前記第１の帯電装置を制御し、且つ前記現像装置を前記第２の現像電位に帯電させるように前記第２の帯電手段を制御する制御装置と、を備えた画像形成装置である。
【０００７】
請求項２に係る発明は、前記第２の帯電電位の絶対値は、前記第1の帯電電位の絶対値の１／３以上２／３以下である請求項１に記載の画像形成装置である。
【０００８】
請求項３に係る発明は、前記画像形成時における前記像保持体の周速が３００ｍｍ／ｓｅｃ以上である請求項１または請求項２に記載の画像形成装置である。
【発明の効果】
【０００９】
請求項１に係る発明によれば、非画像形成時の帯電電位を画像形成時の帯電電位より小さい電位に制御しない場合に比べて、非画像形成時における現像装置から像保持体へのキャリアの移動の抑制された画像形成装置が提供される、という効果を奏する。
【００１０】
請求項２に係る発明によれば、第２の帯電電位の絶対値が第１の帯電電位の絶対値の１／３以上２／３以下の範囲外である場合に比べて、非画像形成時における現像装置から像保持体へのキャリアの移動が更に抑制される、という効果を奏する。
【００１１】
請求項３に係る発明によれば、画像形成時における像保持体の周速が３００ｍｍ／ｓｅｃ未満である場合に比べて、更に、非画像形成時における現像装置から像保持体へのキャリアの移動が効果的に抑制される、という効果を奏する。
【図面の簡単な説明】
【００１２】
【図１】本実施の形態に係る画像形成装置の一例を示す模式図である。
【図２】（Ａ）（Ｂ）  像保持体の構成の一例を示す模式図である。
【図３】画像形成時における、像保持体表面の電位の変化を示す線図である。
【図４】従来の画像形成装置の、画像形成時及び非画像形成時の像保持体の回転に伴う像保持体表面の電位の変化を示す線図である。
【図５】従来の画像形成装置の、画像形成時の像保持体の回転に伴う像保持体表面の電位の変化を示す線図である。
【図６】本実施の形態にかかる画像形成装置の、非画像形成時の像保持体の回転に伴う像保持体表面の電位の変化を示す線図である。
【図７】本実施の形態に係る画像形成装置の、画像形成時及び非画像形成時の像保持体の回転に伴う像保持体表面の電位の変化を示す線図である。
【発明を実施するための形態】
【００１３】
以下、図面を参照して本実施の形態の画像形成装置の一の形態を詳細に説明する。
図１に示すように、本実施の形態に係る画像形成装置１０には、像保持体１２が設けられている。像保持体１２は、円柱状とされ、図示を省略するモータにより、回転駆動（図１中の矢印Ａ方向）される。
【００１４】
像保持体１２は、図２（Ａ）に示すように、支持体６０と、この支持体６０上に形成された下引層６２と、この下引層６２の上に形成された感光層６３と、から構成されている。この感光層６３は、図２（Ｂ）に示すように、電荷発生層６５と電荷輸送層６６との２層構造であってもよい。また、感光層６３は、保護層６４を設けた構成であることが良い。
【００１５】
像保持体１２の構成材料は、公知の材料を用いればよいが、支持体６０、感光層６３、保護層６４の構成材料としては、例えば、特願２００７−３３３３０８に記載の基体、下引層、感光層、及び保護層に用いられる材料が挙げられる。
【００１６】
像保持体１２の周辺には、帯電装置１５、潜像形成装置１６、及び現像装置１８が、像保持体１２の回転方向に沿って順に配設されている。
【００１７】
帯電装置１５は、像保持体１２表面を帯電する。帯電装置１５は、像保持体１２表面に接触または非接触で設けられ、像保持体１２の表面を帯電するための帯電部材１４、及び帯電部材１４に電圧を印加する電源２８を含んで構成されている。電源２８は、帯電部材１４に電気的に接続されている。電源２８から印加された電圧によって、帯電部材１４は、像保持体１２表面を帯電させる。帯電部材１４としては、高速で画像形成を行う観点から、コロトロン帯電器やスコロトロン帯電器が挙げられる。
【００１８】
該電源２８は、画像形成装置１０に設けられた制御部３６に電気的に接続されており、制御部３６の制御によって、帯電部材１４に帯電電圧を印加する。帯電部材１４から帯電電圧を印加された帯電部材１４は、印加された帯電電圧に応じた帯電電位に、像保持体１２を帯電させる。このため、電源２８から印加される帯電電圧が調整されることで、像保持体１２は、異なる帯電電位に帯電される。
本実施の形態では、帯電装置１５は、制御部３６の制御によって、第１の帯電電位ＶＨ１、または該第１の帯電電位ＶＨ１より電位の低い第２の帯電電位ＶＨ２に、像保持体１２を帯電させる（詳細後述）。
【００１９】
潜像形成装置１６は、帯電装置１５により帯電された像保持体１２の表面に、形成する対象となる画像の画像情報に基づいて変調した光Ｌを照射して、像保持体１２上に画像情報の画像に応じた静電潜像を形成する。
【００２０】
現像装置１８内には、トナーとキャリアとを含む公知の二成分現像剤が貯留されている。これらのトナーは、現像装置１８内の図示を省略する撹拌機構によりキャリアと共に撹拌されることで、帯電された状態で貯留されている。二成分現像剤に含まれるトナーとしては、重合法により得られる体積平均粒子径３μｍ以上９μｍ以下のトナーが挙げられる。
【００２１】
また、現像装置１８は、像保持体１２上に形成された静電潜像を二成分現像剤により現像するための現像部材１８Ａを含んで構成されている。この現像部材１８Ａには、電源３２が電気的に接続されている。この電源３２は、画像形成装置１０に設けられた制御部２７に電気的に接続されており、制御部３６の制御によって電源３２から現像部材１８Ａに現像電圧が印加される。現像電圧を印加された現像部材１８Ａは、該現像電圧に応じた現像電位に帯電される。本実施の形態では、現像部材１８Ａは、上記第1の帯電電位ＶＨ１との電位差が電位差Ｐである第1の現像電位Ｖｄｅｖｅ１、または、上記第２の帯電電位ＶＨ２との電位差が該電位差Ｐである第２の現像電位Ｖｄｅｖｅ２に帯電される（詳細後述）。
【００２２】
現像電位に帯電された現像部材１８Ａは、現像装置１８内に貯留された二成分現像剤を表面に保持して、該二成分現像剤に含まれるトナーを現像装置１８内から像保持体１２表面へと供給する。像保持体１２上に供給されたトナーは、像保持体１２上の静電潜像に静電力により付着する。詳細には、像保持体１２と現像部材１８Ａとの向かい合う領域における電位差、すなわち、該領域における像保持体１２の表面の電位と現像部材１８Ａの現像電位との電位差によって、二成分現像剤に含まれるトナーが像保持体１２の静電潜像の形成された領域に供給され、キャリアは、現像部材１８Ａに保持されたまま現像装置１８内に戻る。これにより、像保持体１２上の静電潜像は、現像部材１８Ａから供給されたトナーによって現像されて、像保持体１２上には、静電潜像に応じたトナー像が形成される。
【００２３】
像保持体１２周辺の、現像部材１８Ａの配設位置より像保持体１２の回転方向下流側には、転写装置２０が設けられている。転写装置２０は、円柱状とされており、像保持体１２との間で記録媒体３０Ａを挟持搬送する。転写装置２０には、転写装置２０に転写電圧を印加する電源３０が電気的に接続されている。この電源３０は、制御部３６に電気的に接続されている。
【００２４】
電源３０から転写装置２０に、像保持体１２上に形成されたトナー像を構成するトナーとは逆極性の転写電圧が印加されると、像保持体１２と転写装置２０との間の領域には、像保持体１２上のトナー像を構成する各トナーを静電力により像保持体１２から転写装置２０側へと移動させる電界強度の電界が形成される。
【００２５】
記録媒体３０Ａは、図示を省略する貯留部に貯留されており、この貯留部から図示を省略する複数の搬送部材によって搬送経路３４にそって搬送（図１中矢印Ｂ方向）され、像保持体１２と転写装置２０との向かい合う領域に到る。該領域に到った記録媒体３０Ａには、転写装置２０に転写電圧が印加されることにより該領域に形成された電界によって、像保持体１２上のトナー像を構成するトナーが転写される。すなわち、像保持体１２表面から記録媒体３０Ａへのトナーの移動により、記録媒体３０Ａ上にトナー像が転写される。
【００２６】
記録媒体３０Ａの搬送経路３４の、上記転写領域３２Ａより搬送方向下流側には、定着装置２６が設けられている。定着装置２６は、記録媒体３０Ａ上に転写されたトナー像を熱または熱及び圧力によって記録媒体３０Ａに定着する。
搬送経路３４にそって搬送されて像保持体１２と転写装置２０との向かい合う領域を通過することによりトナー像を転写された記録媒体３０Ａは、図示を省略する搬送部材によってさらに搬送経路３４に沿って定着装置２６の設置位置に到り、記録媒体３０Ａ上のトナー像の定着が行われる。トナー像の定着によって画像形成された記録媒体３０Ａは、図示を省略する複数の搬送部材によって画像形成装置１０の外部へと排出される。
【００２７】
像保持体１２の回転方向（図１中矢印Ａ方向）の、転写領域３２Ａより像保持体１２の回転方向下流側には、清掃装置２２及び除電装置２４が配設されている。
【００２８】
清掃装置２２は、像保持体１２上の残留トナーや紙粉等の付着物を除去する。清掃装置２２としては、像保持体１２に対して線圧１０ｇ／ｃｍ以上１５０ｇ／ｃｍ以下で接触するブレード部材を有する構成が挙げられる。
【００２９】
除電装置２４は、像保持体１２上の残存電荷を除去することによって、トナー像の記録媒体３０Ａへの転写後も像保持体１２上に残っている静電潜像を消去し、像保持体１２の表面を除電電位とする。
【００３０】
除電装置２４としては、像保持体１２の表面を予め定められた除電電位とすることによって、該像保持体１２上に残存している静電潜像を消去する装置であればよい。例えば、この除電装置２４としては、光を照射することによって除電を行う除電装置２４が挙げられる。光の照射によって除電を行う除電装置２４としては、タングステンランプ等の白色光、ＬＥＤ光などの赤外光を照射する光源が挙げられる。
【００３１】
トナー像を記録媒体３０Ａに転写した像保持体１２は、清掃装置２２によって付着物を除去された後に、除電装置２４によって除電電位とされた後に、再度、帯電装置１５によって帯電電位に帯電される。
【００３２】
上述のようにして、画像形成装置１０では、記録媒体３０Ａに画像が形成される。
【００３３】
なお、本実施の形態の画像形成装置１０が、本発明の画像形成装置に相当し、帯電装置１５が、本発明の画像形成装置における第１の帯電装置に相当し、潜像形成装置１６が、本発明の画像形成装置における潜像形成装置に相当し、現像部材１８Ａが、本発明の画像形成装置における現像装置に相当する。また、本実施の形態の現像部材１８Ａに現像電圧を印加する電源３２が、本発明の画像形成装置の第２の帯電装置に相当する。また、制御部３６が、本発明の画像形成装置の制御装置に相当し、転写装置２０が本発明の画像形成装置の転写装置に相当し、除電装置２４が、本発明の画像形成装置の除電装置に相当する。
【００３４】
本実施の形態の画像形成装置１０の制御部３６は、画像形成時には、像保持体１２を第１の帯電電位ＶＨ１に帯電させるように帯電装置１５を制御し、且つ現像部材１８Ａを、該第１の帯電電位ＶＨ１との電位差が電位差Ｐである第１の現像電位Ｖｄｅｖｅ１に帯電させるように電源３２を制御する。なお、この電位差Ｐが、本発明の画像形成装置における第１の値に相当する。
また、制御部３６は、非画像形成時には、像保持体を第１の帯電電位ＶＨ１より電位の低い第２の帯電電位ＶＨ２に帯電させるように帯電装置１５を制御し、且つ現像部材１８Ａを、該第２の帯電電位ＶＨ２との電位差が上記電位差Ｐ以下の電位差Ｐ’である第２の現像電位Ｖｄｅｖｅ２に帯電させるように電源３２を制御する。
【００３５】
本実施の画像形成装置１０によれば、制御部３６によって上記制御が行われることで、非画像形成時に現像部材１８Ａ側から像保持体１２側にキャリアが移動することが抑制されると考えられる。
【００３６】
なお、本実施の形態において「電位が低い」及び「電位が低下」とは、電気的な位置エネルギーが低いことを示している。すなわち、より０（ゼロ）Ｖに近い値であるほど電位が低い。また、本実施の形態において「電位が高い」及び「電位が上昇」とは、電気的な位置エネルギーが高いことを示している。すなわち、より０（ゼロ）Ｖから離れる値であるほど電位が高い。なお、本実施の形態では、帯電電位、現像電位、露光電位、及び除電電位は、全て同じ極性とされているものとして説明する。この除電電位については、０Ｖであってもよい。
【００３７】
なお、画像形成時とは、画像形成装置１０において、記録媒体３０Ａに画像を形成する画像形成処理の行われる時（期間）を示している。具体的には、画像形成時には、像保持体１２が回転（図１中、矢印Ａ方向）されて、像保持体１２の帯電装置１５による帯電、潜像形成装置１６による像保持体１２の露光（静電潜像の形成）、現像装置１８の現像電位への帯電、転写装置２０によるトナー像の転写、及び除電装置２４による像保持体１２の除電等が行われる。
【００３８】
非画像形成時とは、非画像形成処理の行われる時（期間）を示している。この非画像形成処理では、像保持体１２の回転、像保持体１２の帯電装置１５による帯電、像保持体１２の除電装置２４による除電、及び現像部材１８Ａの現像電位への帯電等については行われるものの、潜像形成装置１６による画像情報に基づいた光の照射は行われない。すなわち、非画像形成時には、像保持体１２上に静電潜像が形成されないことから、像保持体１が回転され、帯電装置１５による帯電、現像部材１８Ａの現像電位への帯電、及び除電装置２４による除電が行われているにも拘わらず、記録媒体３０Ａには画像は形成されない。
この非画像形成処理は、画像形成処理と画像形成処理との処理間に行われる。例えば、非画像形成処理は、制御部３６に入力された印刷ジョブに基づいて画像を記録媒体３０Ａに形成する処理と、異なる印刷ジョブに基づいて画像を記録媒体３０Ａに形成する処理と、の処理間に行われる。
【００３９】
まず、画像形成時における像保持体１２表面の電位の推移を説明する。
記録媒体３０Ａに画像を形成する画像形成時には、像保持体１２の表面は、帯電装置１５によって第１の帯電電位ＶＨ１に帯電される（図３参照）。
詳細には、制御部３６の制御によって、電源２８から帯電部材１４に印加される帯電電圧の値が調整されることで、像保持体１２の帯電部材１４に向かい合う領域が第１の帯電電位ＶＨ１に帯電され、該像保持体１２の回転（図１中、矢印Ａ方向）によって、像保持体１２の外周面の全領域が第１の帯電電位ＶＨ１に帯電される。
なお、像保持体１２を第１の帯電電位ＶＨ１に帯電させるための帯電電圧の電圧値は、画像形成装置１０の装置の構成等によって予め定められており、制御部３６に予め記憶されている。そして、制御部３６は、画像形成時には、該第１の帯電電位ＶＨ１に対応する電圧値の帯電電圧を帯電部材１４に印加するように電源２８を制御する。これによって、像保持体１２が第１の帯電電位ＶＨ１に帯電される。
【００４０】
そして、像保持体１２の回転によって、像保持体１２の表面の、帯電部材１４によって第１の帯電電位ＶＨ１に帯電された領域が、潜像形成装置１６よって光の照射される領域に達すると、潜像形成装置１６によって形成対象の画像に応じた光が照射されて、該光の照射された領域が、上記第１の帯電電位ＶＨ１より低い露光電位ＶＬ（図３参照）とされて、静電潜像が形成される。すなわち、この静電潜像は、該露光電位ＶＬとされた領域である。
【００４１】
画像形成装置１０において記録媒体３０Ａに画像を形成する画像形成時には、現像部材１８Ａは、第１の現像電位Ｖｄｅｖｅ１に帯電される。この現像電位Ｖｄｅｖｅ１は、図３に示すように、上記第１の帯電電位ＶＨ１と、露光電位ＶＬと、の間の電位とされている。
【００４２】
ここで、現像電位Ｖｄｅｖｅ１に比べて第１の帯電電位ＶＨ１が高い状態においては、像保持体１２の帯電電位と現像部材１８Ａの現像電位との電位差が大きいほど、二成分現像剤に含まれるキャリアが現像部材１８Ａ側から像保持体１２側へ引き寄せられる力が大きく、キャリアが像保持体１２側へ移行しやすい。
このため、画像形成時における、現像電位Ｖｄｅｖｅ１と、第１の帯電電位ＶＨ１との電位差は、現像部材１８Ａに保持されたキャリアが像保持体１２側へ移行する電位差未満の電位差Ｐ（図３参照）となるように、予め定められている。このため、画像形成時に電源３２から現像部材１８Ａへ印加される現像電圧の電圧値としては、該現像電圧が印加されることで帯電される第１の現像電位Ｖｄｅｖｅ１と第１の帯電電位ＶＨ１との電位差が該電位差Ｐとなるように、予め定められる。そして、画像形成時には、制御部３６の制御によって、像保持体１２を第１の帯電電位ＶＨ１に帯電させるための予め定められた帯電電圧が電源２８から帯電部材１４へ印加され、該第１の帯電電位ＶＨ１との電位差が上記電位差Ｐとなる第１の現像電位Ｖｄｅｖｅ１に現像部材１８Ａを帯電させるための予め定められた現像電圧が電源３２から現像部材１８Ａへ印加される。
【００４３】
このため、画像形成時には、像保持体１２は、帯電装置１５によって第１の帯電電位ＶＨに帯電され、潜像形成装置１６によって露光電位ＶＬとされた後に、除電装置２４によって除電処理されて除電電位Ｒｐ（図３参照）とされ、再度、帯電装置１５によって帯電される処理が繰り返される。そして、現像部材１８Ａは、第１の帯電電位ＶＨとの電位差が上記電位差Ｐである第１の現像電位Ｖｄｅｖｅ１に帯電される。
【００４４】
上述のように、画像形成時には、像保持体１２は、像保持体１２の回転によって、帯電装置１５によって第１の帯電電位ＶＨ１とされた後に、潜像形成装置１６によって露光電位ＶＬとされ、現像装置１８の第１の現像電位Ｖｄｅｖｅ１との電位差によってトナー像が形成された後に、除電装置２４によって除電電位Ｒｐとされる、一連の画像形成処理４０（図３，図４参照）が繰り返される。すなわち、この一連の画像形成処理４０が繰り返し実行される期間が、画像形成時（図４中、期間４２）とされている。
【００４５】
次に、非画像形成時における像保持体１２表面の電位の推移を説明する。
まず、この本実施の形態における非画像形成時の像保持体１２表面の電位の推移の説明に先立ち、従来の非画像形成処理について説明する。
従来では、図４に示すように、非画像形成時（図４中、期間４４参照）には、図４の期間４４に示すように、像保持体１２は、帯電装置１５によって第１の帯電電位ＶＨ１に帯電された後に、除電装置２４によって除電電位Ｒｐとされていた。そして、現像装置１８の現像電位は、画像形成時における現像電位である第１の現像電位Ｖｄｅｖｅ１とされていた。
【００４６】
ここで、非画像形成処理の前に行われた画像形成処理において、上記一連の画像形成処理４０が繰り返し長期間行われるほど、除電装置２４による除電の行われた後の像保持体１２表面の電位である除電電位Ｒｐが、第１の帯電電位ＶＨ１に近づく方向へ向かって高く（除電電位Ｒｐ’）なる場合があった（図５参照）。そして、この画像形成時において像保持体１２の除電電位Ｒｐが上昇して除電電位Ｒｐ’となった状態で、従来の非画像形成処理が行われると、非画像形成時に現像部材１８Ａから像保持体１２へキャリアが移動する場合があった。
【００４７】
また、非画像形成時において除電電位Ｒｐが上昇した状態で、連続して次の画像形成処理が行われると、画像形成時において、像保持体１２の帯電電位が変動する場合があった。
【００４８】
そこで、本実施の形態の画像形成装置１０の制御部３６では、上述のように、非画像形成時には、像保持体１２を第１の帯電電位ＶＨ１より電位の低い第２の帯電電位ＶＨ２に帯電させるように帯電装置１５を制御し、且つ現像部材１８Ａを、該第２の帯電電位ＶＨ２との電位差が上記電位差Ｐ以下の電位差Ｐ’である第２の現像電位Ｖｄｅｖｅ２に帯電させるように電源３２を制御する。
【００４９】
この第２の帯電電位ＶＨ２は、画像形成時の第１の帯電電位ＶＨ１より低い電位であり、除電電位Ｒｐ（上昇前の除電電位）より高い電位であればよい。
【００５０】
この第２の帯電電位ＶＨ２の絶対値は、上記条件を満たす電位であればよいが、具体的には、画像形成時の帯電電位ＶＨ１の絶対値の１／３以上２／３以下の範囲が挙げられる。
【００５１】
この非画像形成時における帯電装置１５の制御は、制御部３６の制御によって、電源２８から帯電部材１４に印加する帯電電圧を調整することで行えばよい。この制御部３６の制御によって、電源２８から帯電部材１４に印加される帯電電圧の値が調整されることで、像保持体１２の帯電部材１４に向かい合う領域が第２の帯電電位ＶＨ２に帯電され、該像保持体１２の回転（図１中、矢印Ａ方向）によって、像保持体１２の外周面の全領域が第２の帯電電位ＶＨ２に順次帯電されることとなる。
なお、像保持体１２を第２の帯電電位ＶＨ２に帯電させるための帯電電圧の電圧値は、画像形成装置１０の装置の構成等によって上記条件を満たす範囲で予め定められており、制御部３６に予め記憶されている。そして、制御部３６は、非画像形成時には、該第２の帯電電位ＶＨ２に対応する電圧値の帯電電圧を帯電部材１４に印加するように電源２８を制御する。これによって、像保持体１２が第２の帯電電位ＶＨ２に帯電される。
【００５２】
また、非画像形成時には、現像部材１８Ａは、制御部３６の制御によって第２の現像電位Ｖｄｅｖｅ２に帯電される。この第２の現像電位Ｖｄｅｖｅ２は、第２の帯電電位ＶＨ２との電位差が上記電位差Ｐ以下の電位差Ｐ’となるように、予め定められる。このため、非画像形成時には、制御部３６の制御によって、像保持体１２を第２の帯電電位ＶＨ２に帯電させるための予め定められた帯電電圧が電源２８から帯電部材１４へ印加される。また、非画像形成時には、該第２の帯電電位ＶＨ２との電位差が上記電位差Ｐ’となる第２の現像電位Ｖｄｅｖｅ２に現像部材１８Ａを帯電させるための予め定められた現像電圧が、電源３２から現像部材１８Ａへ印加される。
【００５３】
このため、本実施の形態では、非画像形成時（図６及び図７の期間４５参照）には、像保持体１２は、帯電装置１５によって第１の帯電電位ＶＨ１より低い第２の帯電電位ＶＨ２に帯電され、除電装置２４によって除電処理されて除電電位Ｒｐとされる。また、非画像形成時には、現像部材１８Ａは、第２の帯電電位ＶＨ２との電位差が上記電位差Ｐ以下の電位差Ｐ’である第２の現像電位Ｖｄｅｖｅ２に帯電される。
【００５４】
このため、本実施の形態の画像形成装置１０においては、図７に示すように、画像形成時（期間４２参照）には、像保持体１２は、帯電部材１４によって第１の帯電電位ＶＨ１に帯電された後に潜像形成装置１６による露光によって露光電位ＶＬとされ、除電装置２４によって除電電位Ｒｐとされる一連の画像形成処理４０が繰り返される。このとき、現像電位は、第１の帯電電位ＶＨ１との電位差が電位差Ｐである第１の現像電位Ｖｄｅｖｅ１とされる。
そして、非画像形成時（図６及び図７の期間４５参照）には、像保持体１２は、帯電部材１４によって画像形成時の帯電電位である第１の帯電電位ＶＨ１より低い第２の帯電電位ＶＨ２に帯電され、現像部材１８Ａは、該第１の帯電電位ＶＨ１との電位差が電位差Ｐ以下の電位差Ｐ’である第２の現像電位Ｖｄｅｖｅ２に帯電される。
【００５５】
このように、非画像形成時の帯電電位を画像形成時の帯電電位より低くすることで、帯電電位を画像形成時の帯電電位より低い電位としない場合に比べて、非画像形成時における除電電位Ｒｐが低くなると考えられる。このため、非画像形成時において、像保持体１２の表面の電位と、現像部材１８Ａの現像電位との電位差が広がることが抑制され、像保持体１２へのキャリアの移動が抑制されると考えられる。
【００５６】
従って、本実施の形態の画像形成装置１０では、非画像形成時に現像部材１８Ａから像保持体１２側へキャリアが移行することが抑制されると考えられる。
【００５７】
また、本実施の形態の画像形成装置１０では、非画像形成時の帯電電位を調整しない場合に比べて、非画像形成時の除電電位が低くなると考えられるので、非画像形成の後の画像形成時において、帯電電位が変動することが抑制されると考えられる。
【００５８】
なお、画像形成時の像保持体１２の周速は、３００ｍｍ／ｓｅｃ以上であることが良い。画像形成時の像保持体１２の周速が高速であるほど、従来では、非画像形成時に像保持体１２へのキャリアの移行が発生しやすかった。一方、本実施の形態の画像形成装置１０によれば、像保持体１２の周速が３００ｍｍ／ｓｅｃ以上であっても、非画像形成時における像保持体１２へのキャリアの移行が抑制されると考えられる。
【００５９】
また、従来では、像保持体１２に保護層６４が設けられた構成であると、保護層６４が設けられていない構成である場合に比べて、非画像形成時に像保持体１２へのキャリアの移動が発生しやすかった。一方、本実施の形態の画像形成装置１０によれば、像保持体１２に保護層６４が設けられた構成であっても、非画像形成時における像保持体１２へのキャリアの移動が抑制されると考えられる。
【実施例】
【００６０】
以下、本実施の形態の画像形成装置を実施例によって具体的に説明するが、これらの実施例によって限定されるものではない。また、以下において特に指定のない場合「部」は「質量部」を表し、「％」は「質量％」を表す。
【００６１】
＜像保持体１〜像保持体３の作製＞
―像保持体１の作製−
まず、支持体として、直径（外径）６０ｍｍ、長さ３５７ｍｍ、厚み１ｍｍのアルミニウムから構成された支持体を用意した。
【００６２】
次に、下引層用の塗布液を調整した。まず、酸化亜鉛：（平均一次粒子径７０ｎｍ：テイカ社製：比表面積値１５ｍ２／ｇ）１００質量部をトルエン５００質量部と攪拌混合し、シランカップリング剤（ＫＢＭ６０３：信越化学社製）１．５質量部を添加し、２時間攪拌した。その後トルエンを減圧蒸留にて留去し、１５０℃で２時間焼き付けを行い、シランカップリング剤で表面処理された酸化亜鉛調整した。
【００６３】
そして、上記表面処理された酸化亜鉛１００質量部を５００質量部のテトラヒドロフランと攪拌混合し、アリザリン１質量部を５０質量部のテトラヒドロフランに溶解させた溶液を添加し、５０℃にて５時間攪拌した。その後、減圧ろ過にてアリザリンを付与させた酸化亜鉛をろ別し、さらに６０℃で減圧乾燥を行い、アリザリン付与酸化亜鉛顔料を得た。このアリザリン付与酸化亜鉛顔料６０質量部と硬化剤（ブロック化イソシアネート  スミジュール３１７５：住友バイエルンウレタン社製）：１５質量部とブチラール樹脂（エスレック  ＢＭ−１：積水化学社製）  １５質量部をメチルエチルケトン８５質量部に溶解した溶液３８質量部と、メチルエチルケトン  ：２５質量部と、を混合し、１ｍｍφのガラスビーズを用いてサンドミルにて２時間の分散を行い、分散液を得た。得られた分散液に触媒としてジオクチルスズジラウレート：０．００５質量部を添加し、下引層塗布用液を得た。この塗布液を浸漬塗布法にて上記支持体上に塗布し、１６０℃、１００分の乾燥硬化を行い厚さ２０μｍの下引層を得た。
【００６４】
次に、下引層上に感光層を形成した。まず、電荷発生材料として、ヒドロキシガリウムフタロシアニンを用い、このヒドロキシガリウムフタロシアニン１５質量部、塩化ビニル−酢酸ビニル共重合体樹脂（ＶＭＣＨ、日本ユニオンカーバイト社製）１０質量部およびｎ−ブチルアルコール３００質量部からなる混合物を、サンドミルにて４時間分散した。得られた分散液を、上記下引層上に浸漬塗布し、１００℃にて１０分間加熱乾燥して、膜厚０．２μｍの電荷発生層を形成した。
【００６５】
次に、電荷輸送層として、Ｎ，Ｎ′−ビス（３−メチルフェニル）−Ｎ，Ｎ′−ジフェニルベンジジン４２質量部とビスフェノールＺポリカーボネート樹脂（ＴＳ２０５０：粘度平均分子量５０，０００：帝人化成社製）５８質量部とをテトロヒドロフラン２８０質量部及びトルエン１２０質量部に十分に溶解混合した塗布液を、上記下引層及び電荷発生層の形成された支持体上に浸漬塗布し、１３５℃、４０分で乾燥することにより、膜厚１９μｍの電荷輸送層を形成した。
【００６６】
次に保護層として、化合物例Ｉ−１１に表される化合物５０質量部、化合物例Ｉ−１６で表される化合物５０質量部、以下に示す構造のメラミン１質量部、ｔ−ＢｕＯＨ  ２００質量部に溶解させた。得られた塗布液を電荷輸送層まで塗布したアルミニウム支持体上に浸漬塗布し、１５０℃、４０分で乾燥することにより、膜厚５μｍの保護層を形成した。これによって像保持体１を調整した。
【００６７】
【化１】
2011069907.tif 000003
【００６８】
【化２】
2011069907.tif 000004
【００６９】
【化３】
2011069907.tif 000005
メラミン
【００７０】
―像保持体２の作製−
像保持体１で調整した保護層に代えて、下記保護層を用いた以外は、像保持体１と同じ材料及び条件で像保持体２を調整した。
【００７１】
詳細には、像保持体１と同じ条件及び材料で、支持体上に、下引層、電荷発生層、及び電荷輸送層を作製した。この電荷輸送層上に、保護層として、下記式（Ｉ−１）で表される化合物を３質量部、レジトップＰＬ−２２１１（群栄化学製）３質量部、コロイダルシリカ０．３質量部を、ポリビニルフェノール樹脂（Ａｌｄｒｉｃｈ製）０．５質量部、イソプロピルアルコール５質量部、メチルイソブチルケトン５質量部、並びに３，５−ジ−ｔ−ブチル−４−ヒドロキシトルエン（ＢＨＴ）０．４質量部を加えて保護層用の塗布液を調製した。この塗布液を上記電荷輸送層の上にリング型浸漬塗布法により塗布し、室温で３０分風乾した後、１５０℃で１時間加熱処理して硬化させ、膜厚約５μｍの保護層を形成して像保持体２を調整した。
【００７２】
【化４】
2011069907.tif 000006
（Ｉ―１）
【００７３】
―像保持体３の作製−
像保持体１において、保護層を設けなかった以外は、像保持体１と同じ材料及び条件で像保持体３を調整した。
【００７４】
（実施例１）
上記調整した像保持体１を、富士ゼロックス社製Ｄｏｃｕ  Ｃｅｎｔｒｅ−II  Ｃ７５００に搭載し、この装置標準の２成分現像剤を用いた。
そして、画像形成時の条件、及び非画像形成時の条件を以下に調整した。
【００７５】
―画像形成時の条件―
・環境：１０℃、２０％ＲＨ
・像保持体の周速：３２０ｍｍ／ｓｅｃ
・帯電電位（帯電装置の条件）：スコロトロンのグリッド電極に７００Ｖ、ワイヤーには直流−５.４ｋＶを印加。像保持体の電源を遮断した状態（動作を完全停止させた状態）で２４時間以上放置した後に該条件で像保持体を帯電させたときの、該像保持体の帯電電位ＶＨ１は７００Ｖとなった。
・潜像形成装置の条件：黒の画像情報で露光した。像保持体上の露光領域の電位（露光電位）は−３０５Ｖであった。
・現像電位（現像装置の条件）：直流−５５０Ｖに交流Ｖｐｐ１．２ｋＶ（３ｋＨｚ）の矩形波を重畳した。このとき、現像部材の現像電位Ｖｄｅｖｅ１は５５０Ｖであり、帯電電位ＶＨとの電位差Ｐは１５０Ｖであった。
・除電装置：赤色発光ダイオードから露光量の３〜５倍の強度の除電光を照射。
【００７６】
―非画像形成時の条件―
・帯電電位（帯電装置の条件）：スコロトロンのグリッド電極に−２５０Ｖ、ワイヤーには直流−５.４ｋＶを印加。像保持体の電源を遮断した状態（動作を完全停止させた状態）で２４時間以上放置した後に該条件で像保持体を帯電させたときの、該像保持体の帯電電位ＶＨ２は−２５０Ｖとなった。
このため、非画像形成時の帯電電位ＶＨ２は、画像形成時の帯電電位ＶＨ１の０．３５倍（１／３以上２／３以下の範囲内）に調整された。
・現像電位（現像装置の条件）：直流−１００Ｖに交流Ｖｐｐ１．２ｋＶ（３ｋＨｚ）の矩形波を重畳した。このとき、現像部材の現像電位Ｖｄｅｖｅ２は−１００Ｖであり、帯電電位ＶＨ２との電位差Ｐは１５０Ｖであった。
・温度湿度、像保持体の周速、及び除電装置の条件は、画像形成時と同じ条件とした。
【００７７】
上記条件で、Ａ４サイズの記録媒体（富士ゼロックス社製、商品名Ｊ（普通紙）Ａ４、秤量８２ｇ／ｍ２）の全面に２０％濃度のハーフトーン画像を連続して１００ｋｐｖ（１００×１０３枚）形成する画像形成を行った後に、上記非画像形成時の条件で非画像形成処理を像保持体が一回転する期間行なった後に、再度、２０％濃度のハーフトーン画像を連続して１００ｋｐｖ（１００×１０３枚）形成する画像形成を行う走行試験を繰り返し行った。
【００７８】
＜評価＞
―キャリアによる傷の評価―
画像形成装置が停止した状態から、最初に、上記連続した１００ｋｐｖ（１００×１０３枚）形成する画像形成を行った後に、上記非画像形成時の条件で非画像形成処理を像保持体が一回転する期間行なった後の像保持体の表面のキャリアによる傷を、下記評価基準で評価した。評価結果を表１に示した。
このキャリアによる傷は、像保持体の外周面の全領域について、ブラックライトブルー蛍光灯（Ｎａｔｉｏｎａｌ／ＦＬ２０Ｓ・ＢＬ−Ｂ）により、傷を確認、マーキングし、マイクロスコープ（ＫＥＹＥＮＣＥ社製ＶＨＸ−２００）を用いてキャリアによる痕を数えることによって評価した。なお、「キャリアによる痕」であることの判別は、円形痕の直径が２０μm以上３０μm以下である場合を、キャリアによる痕として換算し、上記範囲外である場合には、キャリア以外の要因による傷として換算を行わなかった。
【００７９】
――評価基準――
Ｇ１：像保持体上にキャリア痕無し。
Ｇ２：像保持体上に、１〜２個のキャリア痕。
Ｇ３：像保持体上に、３〜５個のキャリア痕。
Ｇ４：像保持体上に、５個を超えるキャリア痕。
【００８０】
―画質評価―
画像形成装置が停止した状態から、上記連続した１００ｋｐｖ（１００×１０３枚）形成する画像形成を行った後に、上記非画像形成時の条件で非画像形成処理を像保持体が一回転する期間行なった後に、再度上記連続した１００ｋｐｖ（１００×１０３枚）形成する画像形成を行う、一連の処理を繰り返し実行し、画像形成時の画像形成枚数が４００ｋｐｖとなった後の非画像形成処理の画像形成時に記録媒体に形成された画像と最初の１００ｋｐｖの画質（潜像条件は一定）を比較し評価を、下記評価基準で行った。評価結果を表１に示した。
【００８１】
――評価基準――
Ｇ１：画質良好。初期画質と４００ｋｐｖ後の画質の濃度に差がない。
Ｇ２：初期画質と４００ｋｐｖ後の画質を比較すると、画像形成領域に少し濃度差があるが問題ないレベルである。
Ｇ３：初期画質と４００ｋｐｖ後の画質を比較すると、画像形成領域に濃度差に大きな差がある。
【００８２】
―非画像形成時に除電装置によって除電された領域の電位の測定―
画像形成装置が停止した状態から、上記連続した１００ｋｐｖ（１００×１０３枚）形成する画像形成を行った後に、上記非画像形成時の条件で非画像形成処理を像保持体が一回転する期間行なった後に、再度上記連続した１００ｋｐｖ（１００×１０３枚）形成する画像形成を行う、一連の処理を繰り返し実行し、画像形成時の画像形成枚数が４００ｋｐｖとなった後の非画像形成処理時に、画像形成時に静電潜像が形成されて帯電電位とされた領域の、非画像形成時に除電装置によって除電された後の電位を、「除電電位」として測定した。測定結果を表１に示した。
なお、この除電電位の測定は、ＴＲＥＫ社製、商品名  ＭＯＤＥＬ  ３４４を用いて、プローブをマシーン内に設置することによって測定した。
【００８３】
（実施例２）
実施例２では、実施例１における非画像形成時の条件を、以下のように変更した以外は、実施例１で用いた像保持体１を用いて、該実施例１と同じ条件で、キャリアによる傷の評価、画質評価、及び非画像形成時に除電装置によって除電された領域の電位の測定を行った。結果を表１に示した。
【００８４】
―非画像形成時の条件―
・帯電電位（帯電装置の条件）：スコロトロンのグリッド電極に−３００Ｖ、ワイヤーには直流−５．４ｋＶを印加。像保持体の電源を遮断した状態（動作を完全停止させた状態）で２４時間以上放置した後に該条件で像保持体を帯電させたときの、該像保持体の帯電電位ＶＨ２は−３００Ｖとなった。
このため、非画像形成時の帯電電位ＶＨ２は、画像形成時の帯電電位ＶＨ１の０．４３倍（１／３以上２／３以下の範囲内）に調整された。
・現像電位（現像装置の条件）：直流−１５０Ｖに交流Ｖｐｐ１．２ｋＶ（３ｋＨｚ）の矩形波を重畳した。このとき、現像部材の現像電位Ｖｄｅｖｅ２は−１５０Ｖであり、帯電電位ＶＨ２との電位差Ｐは１５０Ｖであった。
・露光条件、温度湿度、像保持体の周速、及び除電装置の条件は、画像形成時と同じ条件とした。
【００８５】
（実施例３）
実施例３では、実施例１における非画像形成時の条件を、以下のように変更した以外は、実施例１で用いた像保持体１を用いて、該実施例１と同じ条件で、キャリアによる傷の評価、画質評価、及び非画像形成時に除電装置によって除電された領域の電位の測定を行った。結果を表１に示した。
【００８６】
―非画像形成時の条件―
・帯電電位（帯電装置の条件）：スコロトロンのグリッド電極に−４００Ｖ、ワイヤーには直流−５．４ｋＶを印加。像保持体の電源を遮断した状態（動作を完全停止させた状態）で２４時間以上放置した後に該条件で像保持体を帯電させたときの、該像保持体の帯電電位ＶＨ２は−４００Ｖとなった。
このため、非画像形成時の帯電電位ＶＨ２は、画像形成時の帯電電位ＶＨ１の０．５７倍（１／３以上２／３以下の範囲内）に調整された。
・現像電位（現像装置の条件）：直流−２５０Ｖに交流Ｖｐｐ１．２ｋＶ（３ｋＨｚ）の矩形波を重畳した。このとき、現像部材の現像電位Ｖｄｅｖｅ２は−２５０Ｖであり、帯電電位ＶＨ２との電位差Ｐは１５０Ｖであった。
・露光条件、温度湿度、像保持体の周速、及び除電装置の条件は、画像形成時と同じ条件とした。
【００８７】
（実施例４）
実施例４では、実施例１における非画像形成時の条件を、以下のように変更した以外は、実施例１で用いた像保持体１を用いて、該実施例１と同じ条件で、キャリアによる傷の評価、画質評価、及び非画像形成時に除電装置によって除電された領域の電位の測定を行った。結果を表１に示した。
【００８８】
―非画像形成時の条件―
・帯電電位（帯電装置の条件）：スコロトロンのグリッド電極に−４５０Ｖ、ワイヤーには直流−５．４ｋＶを印加。像保持体の電源を遮断した状態（動作を完全停止させた状態）で２４時間以上放置した後に該条件で像保持体を帯電させたときの、該像保持体の帯電電位ＶＨ２は−４５０Ｖとなった。
このため、非画像形成時の帯電電位ＶＨ２は、画像形成時の帯電電位ＶＨ１の０．６４倍（１／３以上２／３以下の範囲内）に調整された。
・現像電位（現像装置の条件）：直流−３００Ｖに交流Ｖｐｐ１．２ｋＶ（３ｋＨｚ）の矩形波を重畳した。このとき、現像部材の現像電位Ｖｄｅｖｅ２は−３００Ｖであり、帯電電位ＶＨ２との電位差Ｐは１５０Ｖであった。
・露光条件、温度湿度、像保持体の周速、及び除電装置の条件は、画像形成時と同じ条件とした。
【００８９】
（実施例５）
実施例５では、実施例１における非画像形成時の条件を、以下のように変更した以外は、実施例１で用いた像保持体１を用いて、該実施例１と同じ条件で、キャリアによる傷の評価、画質評価、及び非画像形成時に除電装置によって除電された領域の電位の測定を行った。結果を表１に示した。
【００９０】
―非画像形成時の条件―
・帯電電位（帯電装置の条件）：スコロトロンのグリッド電極に−５００Ｖ、ワイヤーには直流−５．４ｋＶを印加。像保持体の電源を遮断した状態（動作を完全停止させた状態）で２４時間以上放置した後に該条件で像保持体を帯電させたときの、該像保持体の帯電電位ＶＨ２は−５００Ｖとなった。
このため、非画像形成時の帯電電位ＶＨ２は、画像形成時の帯電電位ＶＨ１の０．７１倍（１／３以上２／３以下の範囲の上限超）に調整された。
・現像電位（現像装置の条件）：直流−３５０Ｖに交流Ｖｐｐ１．２ｋＶ（３ｋＨｚ）の矩形波を重畳した。このとき、現像部材の現像電位Ｖｄｅｖｅ２は−３５０Ｖであり、帯電電位ＶＨ２との電位差Ｐは１５０Ｖであった。
・露光条件、温度湿度、像保持体の周速、及び除電装置の条件は、画像形成時と同じ条件とした。
【００９１】
（実施例６）
実施例６では、実施例１における非画像形成時の条件を、以下のように変更した以外は、実施例１で用いた像保持体１を用いて、該実施例１と同じ条件で、キャリアによる傷の評価、画質評価、及び非画像形成時に除電装置によって除電された領域の電位の測定を行った。結果を表１に示した。
【００９２】
―非画像形成時の条件―
・帯電電位（帯電装置の条件）：スコロトロンのグリッド電極に−２１０Ｖ、ワイヤーには直流−５．４ｋＶを印加。像保持体の電源を遮断した状態（動作を完全停止させた状態）で２４時間以上放置した後に該条件で像保持体を帯電させたときの、該像保持体の帯電電位ＶＨ２は２１０Ｖとなった。
このため、非画像形成時の帯電電位ＶＨ２は、画像形成時の帯電電位ＶＨ１の０．３倍（絶対値の１／３以上２／３以下の範囲の下限値未満）に調整された。
・現像電位（現像装置の条件）：直流−６０Ｖに交流Ｖｐｐ１．２ｋＶ（３ｋＨｚ）の矩形波を重畳した。このとき、現像部材の現像電位Ｖｄｅｖｅ２は−６０Ｖであり、帯電電位ＶＨ２との電位差Ｐは１５０Ｖであった。
・露光条件、温度湿度、像保持体の周速、及び除電装置の条件は、画像形成時と同じ条件とした。
【００９３】
（実施例７〜実施例１１）
実施例７〜実施例１１では、実施例１〜実施例５で用いた像保持体１に代えて、像保持体２を用いた以外は、実施例１〜実施例５の各々と同じ条件で画像形成及び非画像形成を行い、キャリアによる傷の評価、画質評価、及び非画像形成時に除電装置によって除電された領域の電位の測定を行った。結果を表１に示した。
【００９４】
（実施例１２〜実施例１６）
実施例１２〜実施例１６では、実施例１〜実施例５で用いた像保持体１に代えて、像保持体３を用いた以外は、実施例１〜実施例５の各々と同じ条件で画像形成及び非画像形成を行い、キャリアによる傷の評価、画質評価、及び非画像形成時に除電装置によって除電された領域の電位の測定を行った。結果を表１に示した。
【００９５】
（実施例１７）
実施例１７では、実施例１において、画像形成時及び非画像形成時の像保持体の周速を２００ｍｍ／ｓｅｃとした以外は、実施例１と同じ条件で像保持体１を用いて画像形成及び非画像形成を行い、キャリアによる傷の評価、画質評価、及び非画像形成時に除電装置によって除電された領域の電位の測定を行った。結果を表１に示した。
【００９６】
（実施例１８）
実施例１８では、実施例１において、画像形成時及び非画像形成時の像保持体の周速を３００ｍｍ／ｓｅｃとした以外は、実施例１と同じ条件で像保持体１を用いて画像形成及び非画像形成を行い、キャリアによる傷の評価、画質評価、及び非画像形成時に除電装置によって除電された領域の電位の測定を行った。結果を表１に示した。
【００９７】
（実施例１９）
実施例１９では、実施例１における非画像形成時の条件を、以下のように変更した以外は、実施例１で用いた像保持体１を用いて、該実施例１と同じ条件で、キャリアによる傷の評価、画質評価、及び非画像形成時に除電装置によって除電された領域の電位の測定を行った。結果を表１に示した。
【００９８】
―非画像形成時の条件―
・帯電電位（帯電装置の条件）：スコロトロンのグリッド電極に−２５０Ｖ、ワイヤーには直流−５．４ｋＶを印加。像保持体の電源を遮断した状態（動作を完全停止させた状態）で２４時間以上放置した後に該条件で像保持体を帯電させたときの、該像保持体の帯電電位ＶＨ２は−２５０Ｖとなった。
このため、非画像形成時の帯電電位ＶＨ２は、画像形成時の帯電電位ＶＨ１の０．３５倍（絶対値１／３以上２／３以下の範囲内）に調整された。
【００９９】
・現像電位（現像装置の条件）：直流−１５０Ｖに交流Ｖｐｐ１．２ｋＶ（３ｋＨｚ）の矩形波を重畳した。このとき、現像部材の現像電位Ｖｄｅｖｅ２は−１５０Ｖであり、帯電電位ＶＨ２との電位差Ｐは１００Ｖであった。
・温度湿度、像保持体の周速、及び除電装置の条件は、画像形成時と同じ条件とした。
【０１００】
（比較例１）
比較例１では、実施例１における非画像形成時の条件を、以下のように変更した以外は、実施例１で用いた像保持体１を用いて、該実施例１と同じ条件で、キャリアによる傷の評価、画質評価、及び非画像形成時に除電装置によって除電された領域の電位の測定を行った。結果を表１に示した。
【０１０１】
―非画像形成時の条件―
・帯電電位（帯電装置の条件）は、画像形成時の条件と同じとした。すなわち、スコロトロンのグリッド電極に−７００Ｖ、ワイヤーには直流−５．４ｋＶを印加。像保持体の電源を遮断した状態（動作を完全停止させた状態）で２４時間以上放置した後に該条件で像保持体を帯電させたときの、該像保持体の帯電電位ＶＨ２は−７００Ｖとなり、画像形成時と同じであった。
・現像電位（現像装置の条件）は、画像形成時の条件と同じとした。すなわち、直流−５５０Ｖに交流Ｖｐｐ１．２ｋＶ（３ｋＨｚ）の矩形波を重畳した。このとき、現像部材の現像電位Ｖｄｅｖｅ２は−５５０Ｖであり、画像形成時と同じであった。なお、帯電電位ＶＨ２との電位差Ｐは１５０Ｖであった。
・露光条件、温度湿度、像保持体の周速、及び除電装置の条件についても、画像形成時と同じ条件とした。
【０１０２】
（比較例２）
比較例２では、比較例１で用いた像保持体１に代えて、像保持体２を用いた以外は、比較例１と同じ条件で画像形成及び非画像形成を行い、キャリアによる傷の評価、画質評価、及び非画像形成時に除電装置によって除電された領域の電位の測定を行った。結果を表１に示した。
【０１０３】
（比較例３）
比較例３では、比較例１で用いた像保持体１に代えて、像保持体３を用いた以外は、比較例１と同じ条件で画像形成及び非画像形成を行い、キャリアによる傷の評価、画質評価、及び非画像形成時に除電装置によって除電された領域の電位の測定を行った。結果を表１に示した。
【０１０４】
（比較例４）
比較例４では、実施例１における非画像形成時の条件を、以下のように変更した以外は、実施例１で用いた像保持体１を用いて、該実施例１と同じ条件で、キャリアによる傷の評価、画質評価、及び非画像形成時に除電装置によって除電された領域の電位の測定を行った。結果を表１に示した。
【０１０５】
―非画像形成時の条件―
・帯電電位（帯電装置の条件）：スコロトロンのグリッド電極に−７５０Ｖ、ワイヤーには直流−５．４ｋＶを印加。像保持体の電源を遮断した状態（動作を完全停止させた状態）で２４時間以上放置した後に該条件で像保持体を帯電させたときの、該像保持体の帯電電位ＶＨ２は−７５０Ｖとなった。
このため、非画像形成時の帯電電位ＶＨ２は、画像形成時の帯電電位ＶＨ１より高くなるように調整された。
・現像電位（現像装置の条件）：直流−６００Ｖに交流Ｖｐｐ１．２ｋＶ（３ｋＨｚ）の矩形波を重畳した。このとき、現像部材の現像電位Ｖｄｅｖｅ２は−６００Ｖであり、帯電電位ＶＨ２との電位差Ｐは１５０Ｖであった。
・露光条件、温度湿度、像保持体の周速、及び除電装置の条件は、画像形成時と同じ条件とした。
【０１０６】
（比較例５）
比較例５では、実施例１における非画像形成時の条件を、以下のように変更した以外は、実施例１で用いた像保持体１を用いて、該実施例１と同じ条件で、キャリアによる傷の評価、画質評価、及び非画像形成時に除電装置によって除電された領域の電位の測定を行った。結果を表１に示した。
【０１０７】
―非画像形成時の条件―
・帯電電位（帯電装置の条件）：スコロトロンのグリッド電極に−２５０Ｖ、ワイヤーには直流−５．４ｋＶを印加。像保持体の電源を遮断した状態（動作を完全停止させた状態）で２４時間以上放置した後に該条件で像保持体を帯電させたときの、該像保持体の帯電電位ＶＨ２は−２５０Ｖとなった。
このため、非画像形成時の帯電電位ＶＨ２は、画像形成時の帯電電位ＶＨ１の０．３５倍（１／３以上２／３以下の範囲内）であった。
・現像電位（現像装置の条件）：直流−５０Ｖに交流Ｖｐｐ１．２ｋＶ（３ｋＨｚ）の矩形波を重畳した。このとき、現像部材の現像電位Ｖｄｅｖｅ２は−５０Ｖであり、帯電電位ＶＨ２との電位差Ｐは、画像形成時（１５０Ｖ）とは異なり、２００Ｖであった。
・露光条件、温度湿度、像保持体の周速、及び除電装置の条件は、画像形成時と同じ条件とした。
【０１０８】
【表１】
2011069907.tif 000007
【０１０９】
表１に示すように、非画像形成時の帯電電位ＶＨ２を画像形成時の帯電電位ＶＨ１より小さくし、且つ非画像形成時の帯電電位ＶＨ２と現像電位Ｖｄｅｖｅ２との電位差を、画像形成時の帯電電位ＶＨ１と現像電位Ｖｄｅｖｅ１との電位差とした実施例１〜実施例１９は、これらの条件の少なくとも１つを満たさない比較例１〜比較例５に比べて、キャリアによる傷及び画質評価の双方において、良好な結果が得られた。
【０１１０】
また、実施例に示されますように、非画像形成時の帯電電位ＶＨ２の、画像形成時の帯電電位ＶＨ１に対する比率が、絶対値で１／３以上２／３以下の範囲である実施例１〜４、実施例７〜実施例１０、実施例１２〜１５、実施例１７〜１９は、該範囲外である実施例５、実施例６、実施例１１、実施例１６に比べて、キャリアによる傷の更なる改善が見られた。
【０１１１】
また、像保持体の周速が３００ｍｍ／ｓｅｃ未満である実施例１７に比べて、像保持体の周速が３００ｍｍ／ｓｅｃ以上である以外は同じ条件の実施例１８及び実施例１は、画質評価及びキャリアによる傷の双方において、更なる改善がみられた。
【符号の説明】
【０１１２】
１０  画像形成装置
１２  像保持体
１５  帯電装置
１４  帯電部材
２８  電源
１６  露光装置
１８  現像装置
１８Ａ  現像部材
３２  電源
２０  転写装置
２４  除電装置
【図１】
2011069907.tif 000008
【図２】
2011069907.tif 000009
【図３】
2011069907.tif 000010
【図４】
2011069907.tif 000011
【図５】
2011069907.tif 000012
【図６】
2011069907.tif 000013
【図７】
2011069907.tif 000014